(57)【要約】【課題】  本発明は上記課題を鑑みて発明されたものであり、避雷器及びコネクタの双方を絶縁及び他物接触、防水保護するのは勿論、ケーブル抜出孔からの避雷器の電極への浸水を防ぐと共に（異常動作を阻止して）、長期的な安定運用を可能とする避雷器用カバーを提供することにある。【解決手段】  避雷器と該避雷器の上部に連結するケーブル付きのコネクタとに跨って被せる避雷器用カバーであって、カバー本体は、連結部２を介して左右に開閉する２つのパーツ１ａ，１ｂから構成し、さらに当該各パーツ１ａ，１ｂの閉鎖時には、避雷器４及びコネクタ５の上部側に前記ケーブル６の抜出孔８を形成し、前記抜出孔８の少なくとも上部側には、各パーツ１ａ，１ｂの閉鎖時において一体的に粘着する防水材３ａ，３ｂを、当該各パーツ１ａ，１ｂに備えていることを特徴とする。【選択図】      図２
2005353448.tif 000002
【特許請求の範囲】
【請求項１】
避雷器と該避雷器の上部に連結するケーブル付きのコネクタとに跨って被せる避雷器用カバーであって、
カバー本体は、連結部（２）を介して左右に開閉する２つのパーツ（１ａ，１ｂ）から構成し、さらに当該各パーツ（１ａ，１ｂ）の閉鎖時には、避雷器（４）及びコネクタ（５）の上部側に前記ケーブル（６）の抜出孔（８）を形成し
前記抜出孔（８）の少なくとも上部側には、各パーツ（１ａ，１ｂ）の閉鎖時において一体的に粘着する防水材（３ａ，３ｂ）を、当該各パーツ（１ａ，１ｂ）に備えていることを特徴とする避雷器用カバー。
【請求項２】
前記各パーツ（１ａ，１ｂ）における防水材（３ａ，３ｂ）を備えた箇所の外面側には、間接活線把持具（１６）による被把持部（１３）を設けていることを特徴とする請求項１記載の避雷器用カバー。
【発明の詳細な説明】
【技術分野】
【０００１】
本発明は高圧架空配電線路において、避雷器と該避雷器上部に接続するコネクタとを防水保護するため避雷器用カバーに関する。
【背景技術】
【０００２】
配電線用の避雷器の防水、塩害、絶縁及び他物接触等への各対策においては、避雷器の外殻部全体を防水性と絶縁性とを兼ね備えた素材で形成し、さらに前記避雷器の電極の上部側には、避雷器への営巣や他物の接触を防ぐための合成樹脂で形成されたカバーを取り付けるものが主流であった。しかしながら前記カバーの頂部には、避雷器の上部に接続するコネクタケーブル用の抜孔を設ける必要があり、この抜孔から雨水や塩水が浸水し、これとともに当該避雷器内の電極が湿潤して、カバーに他物が接触した場合に、電極の漏れ電流が増大して停電の原因となっていた。
【０００３】
また取付時に、避雷器の大きさ・形状にカバーが対応していない場合には、避雷器の正常動作を阻害する恐れもあった。
【特許文献１】特開平６−２０４００９号公報（１頁目、図１）
【特許文献２】実公平７−３５３８号公報（１頁目、図１）
【発明の開示】
【発明が解決しようとする課題】
【０００４】
そこで従来の欠点を鑑みて、現在は避雷器とコネクタとの双方に被せる形態のカバーに移行しつつあるが、従来のように避雷器のみの防水であれば、工場出荷の段階で予め避雷器の外部に前記カバーを一体的に備えるような製品を用いる等して対策をとれるが、このように避雷器とコネクタとの連結部分をも防水保護するような場合には、避雷器とコネクタとの連結後にカバーの着脱を可能とするものが必要となった。このカバーは、２分割された左右対称形状の各カバー構成パーツを、連結部を介して開閉可能に形成し、使用時、作業者が直接前記各パーツ同士を嵌合し、避雷器及びコネクタの双方に被せるようにしたものであった。しかしながら、前記カバーを避雷器及びコネクタに跨って取り付けた場合でも、コネクタケーブルの抜出孔からの浸水は防がれず、電極への浸水による前述した塩害や絶縁性の喪失といった各種の不具合ついては、未だ解消されないままであった。
【０００５】
本発明は上記課題を鑑みて発明されたものであり、避雷器及びコネクタの双方を絶縁し、さらに他物接触と防水保護とを行うのは勿論、ケーブル抜出孔からの避雷器の電極への浸水を防ぐと共に異常動作を阻止して、長期的な安定運用を可能とする避雷器用カバーを提供することにある。
【課題を解決するための手段】
【０００６】
本発明のうち請求項１記載の発明は、避雷器と該避雷器の上部に連結するケーブル付きのコネクタとに跨って被せる避雷器用カバーであって、カバー本体は、連結部を介して左右に開閉する２つのパーツから構成し、さらに当該各パーツの閉鎖時には、避雷器及びコネクタの上部側に前記ケーブルの抜出孔を形成し、前記抜出孔の少なくとも上部側には、各パーツの閉鎖時において一体的に粘着する防水材を、当該各パーツに備えていることを特徴とする。
【０００７】
ここで左右とは、躯体に取り付けた避雷器を基準とする方向である。また各パーツの素材としては、絶縁性は勿論、落雷時に燃焼しない難燃性を兼ね備えるものが選択され、具体的にはポリエチレン系強化樹脂などが挙げられる。また、防水材においてもカバー同様に絶縁性と難燃性とを兼ね備える素材を選択する必要があるが、さらに各パーツの閉鎖時に隙間を作らない状態で密着するような粘性を備えていることが条件となり、具体的にはブチル系ゴム等が挙げられる。さらに防水材は、少なくとも抜出孔を塞ぐ状態に備えてあればよいが、抜出孔は勿論のこと各パーツの側面、つまりは当該各パーツの接合部分に沿って防水材が配置されることが望ましい。また連結部とは、各パーツの開閉を不都合なく行えるものであればよく、具体的には、各パーツと一体成形した帯状体、あるいは蝶番等が挙げられる。また、防水材を各パーツに分割配置してあるのは、抜出孔へのケーブルの入り込みを支障なく行うためであり、仮に防水材を、抜出孔を塞ぐという条件を満たし、且ついずれかのパーツにのみ備えた場合には、各パーツの閉鎖時にケーブルが防水材の粘性に抗して抜出孔の位置まで入り込む距離が大きくなり、結果的に本カバーの取付時に各パーツが閉じなくなる不都合が生じる。
【０００８】
このように形成した本カバーを避雷器及びコネクタに取り付けた場合、各パーツに配置された防水材同士が粘着し、該防水材がコネクタのケーブル表面に隙間無く密着すると共に、抜出孔の上側に防水材が被さる状態となり、これにより本カバー外部からの避雷器電極への浸水を防ぐことができる。
【０００９】
本発明のうち請求項２記載の発明は、各パーツにおける防水材を備えた箇所の外面側には、間接活線把持具による被把持部を設けているので、間接活線把持具を操作して前記被把持部を何度も掴むことで、各パーツ内の防水材同士が内向きに強く押圧され、防水材間の粘着部分が馴染んでいくことで、より緊密な状態で防水材が一体化する。これにより、施設された避雷器に対し、雨天時であっても停電させることなくカバーの取り付けが可能となる。
【００１０】
ここで被把持部は、間接活線把持具によって各パーツを挟み込むのに適した形状をなしていればよく、具体的には扁平面、さらに望ましくは、前記間接活線把持具の作用部の噛合面と合致するような凹凸面に形成してあればよい。
【発明の効果】
【００１１】
本発明のうち請求項１記載の発明によれば、コネクタから延長するケーブルの抜出孔からカバー内への浸水が確実に防がれ、これにより避雷器の電極への浸水を免れるので、本カバーを取り付ける本来の目的である例えば、他物接触の防止や絶縁性の確保がなされるのは勿論、前述した浸水が防がれることによる塩害相当の汚損等が確実に防がれるので、避雷器の長期的な正常作動を期待できる。また、請求項２記載の発明によれば、各パーツに配置された防水材同士の粘着状態がより緊密となり、カバー内への浸水を一層確実に防ぐことができる。
【発明を実施するための最良の形態】
【００１２】
次に、本発明の避雷器用カバーの一実施形態を以下に説明する。
本避雷器用カバーは図１と図２のように、連結帯２を介して左右に開閉する対称形状をなす２つのパーツ１ａ，１ｂからなり、当該各パーツ１ａ，１ｂは、ポリエチレン系の難燃性樹脂を射出成形して得られるものである。
そして各パーツ１ａ，１ｂの内部の構造については、その内周面にコネクタ保持片１２を放射状に複数箇所配置した避雷器４及びコネクタ５の収容空間Ｓと、この収容空間Ｓの上側及び側面を覆うように配された接合空間Ｒとからなっており、この接合空間Ｒには、強い粘性を有するブチルゴムを主成分とするパテ材３ａ，３ｂが充填されている。
【００１３】
さらに詳しく本カバーについて説明すると、本カバーの避雷器４及びコネクタ５への取付時、各パーツ１ａ，１ｂを閉じた際、連結帯２のある側との離反側の端縁における上段・中断・下段の３箇所には、外面側に間接活線把持具１６との噛合面を有する張出片７，７，７が設けてあり、さらに各張出片７，７，７の対面側には、それぞれ膨大部９と受孔１０とを備えている。そして、間接活線把持具１６を操作して前記各張出片７，７，７の外面側を順次掴むことにより、前記膨大部９と受孔１０とがスナップ式に嵌り込み、各パーツ１ａ，１ｂを避雷器４及びコネクタ５において、上方側への抜け出しが不能な状態で取り付けられる。また、避雷器４の収容空間Ｓと接合空間Ｒとの間は仕切によって隔てられており、さらに仕切の上部中央位置には、コネクタ５から上方に向けて延長するケーブル６の抜出孔８を設けている。
尚、符号１７は差込片であり、この差込片１７は、パテ材３ａ，３ｂを各パーツ１ａ，１ｂにおける抜出孔８の上部側に位置決め保持すると共に、各パーツ１ａ，１ｂの閉鎖時、差込片１７を設けていない側のパーツ１ａ，１ｂの接合空間Ｒに充填したパテ材３ａ，３ｂにくい込んで、各パーツ１ａ，１ｂ間の密閉性を高める目的を果たすものである。
【００１４】
そして上記構成の本カバーを実際に避雷器４に取り付けた場合は図３のように、接合空間Ｒに充填されたパテ材３ａ，３ｂが粘着箇所Ｌで粘着し、さらにケーブル６の外周面の全周に密着すると共に、当該ケーブル６の抜出孔８を完全に封鎖し、これにより本カバー上部側からの浸水を防ぐこととなる。
【００１５】
次に、前記構成の避雷器用カバーの実際の取付手順を、各図面に基づいて順を追って説明する。
尚、本実施では、本カバーの下端側を切取線１４で切り取った形態のものを使用している。
まず図４（ａ）のように、間接活線把持具１６によって一方のパーツ１ａ，１ｂに備わるヒレ１１を掴み、このまま本カバーをコネクタ５が連結された避雷器４の側に近づける。次いで図４（ｂ）のように、コネクタ５の位置に、各パーツ１ａ，１ｂの収容空間Ｓにある各コネクタ保持片１２を合わせ、さらにコネクタ５のケーブル６を抜出孔８と一致するように位置調整してから、各コネクタ保持片１２に前記コネクタ５を嵌め込む。次いで図４（ｃ）のように、各パーツ１ａ，１ｂの各張出片７，７，７を間接活線把持具１６で掴み、当該各張出片７，７，７の膨大部９と受孔１０とをそれぞれ嵌め込んでいき、各パーツ１ａ，１ｂを開かない状態とする。最後に図４（ｄ）のように、本カバーの外側から間接活線把持具１６によって各パーツ１ａ，１ｂの被把持面１３，１３を数回掴み、各パーツ１ａ，１ｂの双方のパテ材３ａ，３ｂ同士を粘着して一体化させ、取付作業を完了する。
【００１６】
また前記切取線１４は、本カバーから切取線１４を介した下端側部分を切り取ることで、避雷器４の規格に対応して本カバーによる保護範囲の調節を行う目的の他に、本カバーの下端縁と避雷器４の支持金具（図示省略）との距離を適正な間隔に保つ目的も果たすものである。仮に本カバーの下端縁と避雷器４の支持金具との距離が極端に近いと、落雷時においては、避雷器４の正常動作の阻害、つまりは避雷器４を通らずに本カバーの周壁を伝って前記支持金具側に通電される恐れがあり、これにより、配電線用機器の故障や停電事故の不都合を生じる心配があった。
【図面の簡単な説明】
【００１７】
【図１】本発明による避雷器用カバーの使用状態を示す側面図である。
【図２】本発明による避雷器用カバーを前記図１の状態から展開した側面図である。
【図３】図１のＡ−Ａ線横断面図である。
【図４】（ａ）（ｂ）（ｃ）（ｄ）は本発明の避雷器用カバーの取付手順を示す説明図である。
【符号の説明】
【００１８】
１ａ，１ｂ  パーツ
２  連結帯（連結部）
３ａ，３ｂ  パテ材（防水材）
４  避雷器
５  コネクタ
６  ケーブル
８  抜出孔
１３  被把持面（被把持部）
１６  間接活線把持具
Ｌ  粘着箇所
Ｓ  収容空間
Ｒ  接合空間
【図１】
2005353448.tif 000003
【図２】
2005353448.tif 000004
【図３】
2005353448.tif 000005
【図４】
2005353448.tif 000006